(57)【要約】      （修正有）【課題】ゴム栓体に針を穿刺する構造を根本的に変える医療用スライド式開閉弁を提供する。【解決手段】医療用スライド式開閉弁１は、スライド弁体５の片側の取手２４を引っ張ると、基部の流路と、スライド弁体５の穴２６と、第２ゴムシール体４の流路２３が連通して医療用スライド式開閉弁１が開き、スライド弁体５の反対側の取手２５を引っ張ると、基部の流路と第２ゴムシール体４の流路２３がスライド弁体５によって遮断されて医療用スライド式開閉弁１が閉じる。この医療用スライド式開閉弁１によれば、ゴム栓や針を使わずに、注射器又は配管結合コネクタなどの他の医療器具を接続することができるので、コアリングが生じる問題など、ゴム栓や針を用いることに起因する問題がない。【選択図】図３
2005143579.tif 000002
【特許請求の範囲】
【請求項１】
医療器具の開口部を封口する基部と、
他の医療器具の接続口を接続する接続部と、
前記基部を貫通し、前記医療器具と前記接続部との間を連通した流路と、
前記流路の一部を構成し、かつ前記流路の他の部分に対してスライド移動するスライド部とを備えたことを特徴とする医療用スライド式開閉弁。
【請求項２】
前記スライド部が前記流路の一部を構成する流路穴を備えた平板状の部材であり、前記流路の端面に密着した状態でスライド移動して、前記流路を遮断することを特徴とする請求項１に記載の医療用スライド式開閉弁。
【請求項３】
前記スライド部が、流路の他の部分に対して直線方向又は回転方向にスライドすることを特徴とする請求項１又は２に記載の医療用スライド式開閉弁。
【請求項４】
前記接続部は、前記他の医療器具の接続口の先端が密着するようになっていることを特徴とする請求項１から３の何れかに記載の医療用スライド式開閉弁。
【請求項５】
前記接続部は、前記他の医療器具の接続口の先端に密着するゴムを備えていることを特徴とする請求項４に記載の医療用スライド式開閉弁。
【請求項６】
前記スライド部と、基部及び／又は接続部との間にゴム材を介在させ、前記スライド部を前記流路の端面に密着させた状態で、スライド移動するようにしたことを特徴とする請求項１から５の何れかに記載の医療用スライド式開閉弁。
【請求項７】
前記医療器具の開口部を覆う着座部と、前記着座部を貫通するとともに、着座部から突出した流路を備えた基部と、
前記着座部に突設した流路の周囲を覆うように着座部に装着した第１ゴムシール体と、
前記着座部に突設した流路に対応した位置に流路孔を有し、かつ第１ゴムシール体の上に装着した第２ゴムシール体と、
前記基部に設けた流路と第２ゴムシール体の流路孔とを連通し得る孔を備え、第１ゴムシール体と第２ゴムシール体との間に、前記着座部に突設した流路の端面に密着した状態で直線的に摺動するスライド弁体と、
前記基部の流路に対応した位置に前記他の医療器具の接続口を接続する接続部を有し、前記第２ゴムシール体の上から医療器具の開口部に取り付けたキャップとを備え、
前記スライド弁体を摺動操作して、前記スライド弁体に設けた孔と、基部に設けた流路と第２ゴムシール体の流路孔の位置を合わしたときに弁を開き、前記スライド弁体に設けた孔と、基部に設けた流路と第２ゴムシール体の流路孔の位置をずらしたときに弁を閉じることを特徴とする請求項１に記載の医療用スライド式開閉弁。
【請求項８】
前記第２ゴムシール体の流路孔の周囲が、キャップの接続部内に突出しており、キャップの接続部に接続された他の医療器具と第２ゴムシール体の流路孔が密着した状態で連通することを特徴とする請求項７に記載の医療用スライド式開閉弁。
【請求項９】
前記医療器具の開口部を覆う基部と、基部を貫通した流路と、前記基部に回転摺動可能に装着したキャップ部材と、前記キャップ部材を回転摺動させたときに基部の流路と位置が合ったりずれたりする位置に設けた前記キャップを貫通した流路と、前記キャップの流路に他の医療器具の接続口が連通するように、他の医療器具の接続口を接続する接続部を設けたことを特徴とする請求項１に記載の医療用スライド式開閉弁。
【請求項１０】
前記キャップと基部との間にゴム材を介在させ、前記流路をシールしたことを特徴とする請求項９に記載の医療用スライド式開閉弁。
【請求項１１】
前記接続部が、前記他の医療器具の接続口を接続した状態で固定するロック構造を備えていることを特徴とする請求項１から１０の何れかに記載の医療用スライド式開閉弁。
【請求項１２】
前記接続部が、前記他の医療器具に設けられた雄型ルアーテーパ状の接続口を接続する雌型ルアーテーパ状の接続口を備えていることを特徴とする請求項１から１０の何れかに記載の医療用スライド式開閉弁。
【請求項１３】
請求項１から１２の何れかに記載された医療用スライド式開閉弁を、開口部に備えたことを特徴とする医療用容器。
【請求項１４】
請求項１から１２の何れかに記載された医療用スライド式開閉弁を、開口部に備えたことを特徴とする混注管。
【発明の詳細な説明】
【技術分野】
【０００１】
本発明は、例えば、輸液や薬液が封入される医療用バッグ、医療用ボトル、医療用瓶などの医療用容器や輸液配管に接続される混注管などの医療器具に取り付けた医療用スライド式開閉弁に関するものである。
【背景技術】
【０００２】
医療用容器は、開口部にゴム栓体を気密に取り付けて封口されており、これらはゴム栓体に針を穿刺して輸液や薬液を注入したり、抽出したりすることが行なわれている。また、脱落を防止するためルアーロック構造により、注射器やコネクタを接続する方法についても提案されている。
【０００３】
例えば、下記特許文献１には、未貫通状態の針案内用小孔を有するゴム栓体と、このゴム栓体の少なくとも側壁を押圧する包体とで構成した医療用栓体が記載されている。この医療用栓体は針案内用小孔が包体によって閉鎖方向に圧縮されているので、ゴム栓体を包体が周囲から締め付けるため、針の刺通抵抗を小さく維持したまま、針抜け抵抗を向上させることができる。
【０００４】
また、特許文献２には、外周面に凸条が設けられ、かつ、内部を薄膜によって封止されたものが記載されており、ルアーロック型刺通具を用いて薄膜を突き破ることにより、内外を連通させるものが記載されている。
【０００５】
また、特許文献３には、中央部に中空で垂直に定位した円筒形突起を備えたゴム栓で、円筒形突起をリューエルコネクタのような挿入手段で突き破るものが記載されている。
【特許文献１】特開２０００−２１０３８４号公報
【特許文献２】特開２００２−０７８７７５号公報
【特許文献３】特開平１１−３１９０３１号公報
【発明の開示】
【発明が解決しようとする課題】
【０００６】
ゴム栓体に針や穿刺器具を穿刺するものは、穿刺時に針先でゴム片が切り取られることによりコアリングが生じる問題や、穿刺した状態で放置したときに針が抜ける問題、穿刺した状態で針が振れると液漏れが生じる問題、穿刺した針を抜くとゴム栓体の耐圧性が低下する問題などがある。例えば、特許文献１に記載されたように針案内用小孔を有するものでも、ゴム栓に針を刺通する構造になっているので、コアリングが生じる問題がある。
【０００７】
また、特許文献２、３に記載されたものは、薄膜を突き破ってコネクタを接続する構造になっているが、斯かる薄膜は、一度薄膜を突き破った後は、開口部を閉じることができず、開閉弁としての機能を備えていない。
【０００８】
本発明は、ゴム栓体に針を穿刺する構造を根本的に変えるもので、ゴム栓体や針の使用を廃し、コアリングの問題が生じず、また、ルアーロック構造で連結したロック構造を備えて注射器やコネクタを固定でき、かつ、スライド機構を備えて注射器やコネクタを連結した状態で何回でも開閉できる医療用スライド式開閉弁を提供しようとするものである。
【課題を解決するための手段】
【０００９】
本発明に係る医療用スライド式開閉弁は、医療器具の開口部を封口する基部と、他の医療器具の接続口を接続する接続部と、基部を貫通し、医療器具と接続部との間を連通した流路と、流路の一部を構成し、かつ流路の他の部分に対してスライド移動するスライド部とを備えたことを特徴としている。なお、基部は、医療器具の開口部に別体で成形して、医療器具の開口部に接着してもよいし、医療器具の開口部に一体的に成形してもよい。また、「医療器具」は、例えば、輸液や薬液が封入される医療用バッグ、医療用ボトル、医療用瓶などの医療用容器や輸液配管に接続される混注管（側注管）などがある。また、「他の医療器具」は、医療器具に接続される種々の医療器具であり、例えば、雄型ルアーテーパ状の接続口やロック式ルアー口部を備えた注射器や配管結合コネクタなどがある。
【００１０】
この医療用スライド式開閉弁によれば、スライド部のスライド移動により弁の開閉が行なえ、ゴム栓や針を使わずに他の医療器具を接続できるので、コアリングが生じる問題や、穿刺した状態で放置したときに針が抜けたり、液漏れが生じたりする問題、穿刺した針を抜いた後でゴム栓体の耐圧性が低下することなど、従来、ゴム栓と針を用いていたことに起因する問題がない。
【００１１】
本発明に係る医療用スライド式開閉弁は、スライド部を流路の一部を構成する流路穴を備えた平板状の部材とし、流路の端面に密着した状態でスライド移動させて、流路を遮断するとよい。また、スライド部は、流路の他の部分に対して直線方向又は回転方向にスライド移動するように配設するとよい。また、スライド部と、基部及び／又は接続部との間にゴム材を介在させ、スライド部を流路の端面に密着させた状態でスライド移動させるとよい。
【００１２】
本発明に係る医療用スライド式開閉弁は、例えば、医療器具の開口部を覆う着座部と、着座部を貫通するとともに、着座部から突出した流路とを備えた基部と、着座部に突設した流路の周囲を覆うように着座部に装着した第１ゴムシール体と、着座部に突設した流路に対応した位置に流路孔を有し、かつ第１ゴムシール体の上に装着した第２ゴムシール体と、基部に設けた流路と第２ゴムシール体の流路孔とを連通し得る孔を備え、第１ゴムシール体と第２ゴムシール体との間に、着座部に突設した流路の端面に密着した状態で直線的に摺動するスライド弁体と、基部の流路に対応した位置に他の医療器具の接続口を接続する接続部を有し、第２ゴムシール体の上から医療器具の開口部に取り付けたキャップとを備え、スライド弁体を摺動操作して、スライド弁体に設けた孔と、基部に設けた流路と第２ゴムシール体の流路孔の位置を合わしたときに弁を開き、スライド弁体に設けた孔と、基部に設けた流路と第２ゴムシール体の流路孔の位置をずらしたときに弁を閉じるとよい。
【００１３】
この場合、第２ゴムシール体の流路孔の周囲を、キャップの接続部内に突出させ、キャップの接続部に接続された他の医療器具と第２ゴムシール体の流路孔が密着した状態で連通するとよい。
【００１４】
また、本発明に係る医療用スライド式開閉弁は、例えば、医療器具の開口部を覆う基部と、基部を貫通した流路と、基部に回転摺動可能に装着したキャップ部材と、キャップ部材を回転摺動させたときに基部の流路と位置が合ったりずれたりする位置に設けたキャップを貫通した流路と、キャップの流路に他の医療器具の接続口が連通するように、他の医療器具の接続口を接続する接続部を設けるとよい。この場合、キャップと基部との間にゴム材を介在させ、流路をシールするとよい。
【００１５】
本発明に係る医療用スライド式開閉弁の接続部は、他の医療器具の接続口を接続した状態で固定するロック構造を備えているとよい。この「ロック構造」には、ルアーロック式のロック構造が含まれる。また、接続部は他の医療器具に設けられた雄型ルアーテーパ状の接続口を接続する雌型ルアーテーパ状の接続口を備えているとよい。また、接続部は、他の医療器具の接続口の先端が密着するようになっているとよく、この場合、接続部に他の医療器具の接続口の先端に密着するようにゴムを設けるとよい。
【発明の効果】
【００１６】
また、本発明に係る医療用スライド式開閉弁は、スライド部により弁の開閉が行なえ、ゴム栓や針を使わずに医療器具を接続できる。このため、コアリングが生じる問題や、穿刺した状態で放置したときに針が抜けたり、液漏れが生じたりする問題、穿刺した針を抜いた後でゴム栓体の耐圧性が低下することなど、従来、ゴム栓と針を用いていたことに起因する問題がない。また、他の医療器具を接続したまま、流路の開閉を操作することができるので、注射器などにより定量的な薬液の注入や抽出が行なう場合に、注射器を取り外さずに行なえるので、衛生的である。
【００１７】
また、本発明に係る医療用スライド式開閉弁は、他の医療器具を接続する接続部に他の医療器具を接続した状態で固定するロック構造を設けることにより、医療用スライド式開閉弁に他の医療器具を接続した状態で放置しても、他の医療器具が勝手に外れることはない。また、スライド部により、弁が確実に閉じられるので、耐圧性が良く、輸送中や取り扱い時の内部圧力によって生じる液漏れや逆流などのトラブルがない。また、接続部は、他の医療器具の接続口の先端が密着するようにすることにより、液が滞留せず、定量的な液注入を正確に行なうことができる。また、接続部に、他の医療器具の接続口の先端に密着するゴムを設けることにより、液漏れを確実に防止することができる。上記の医療用スライド式開閉弁は、医療用容器や混注管の開口部に設ける弁として好適である。
【発明を実施するための最良の形態】
【００１８】
以下、本発明に係る医療用スライド式開閉弁の実施形態を図面に基づいて説明する。
【００１９】
第１実施形態に係る医療用スライド式開閉弁１は、医療用容器用のスライド式開閉弁であって、図１に示すように、医療用容器の開口部を封口するように取り付ける基部２と、第１、第２ゴムシール体３、４と、スライド弁体５と、キャップ６とからなる。
【００２０】
基部２は、略円筒状の部材で、下端に、図示されない医療用容器の開口部の端面に接着させるフランジ１１を、内部に第１ゴムシール体３を設置する着座部１２を、基部２の外周面にキャップ６を嵌着させる嵌着部１３をそれぞれ備えている。着座部１２は、基部２の内部の中間部位に水平に延在しており、その中央には着座部１２を貫通し、かつ上方に突出した流路１４が形成されている。また、基部２の円筒部分１５には、図２に示すように、スライド弁体５を基部２の直径方向に沿って延在させ、スライド弁体５の摺動をガイドする溝１６を形成している。
【００２１】
第１ゴムシール体３は、図１及び図２に示すように、基部２の円筒部分１５に嵌まった円板形状のゴム製のシール部材であり、中央部に基部２の流路１４が嵌まる穴２１と、スライド弁体５を設置する溝２２を備えている。第１ゴムシール体３は、図２に示すように、第１ゴムシール体３の穴２１に基部２の流路１４を収め、基部２の流路１４の周囲に第１ゴムシール体３を密着させた状態で、基部２の着座部１２に設置している。
【００２２】
第２ゴムシール体４は、第１ゴムシール体３の上に設置した円板形状のゴム製のシール部材であり、中央部に基部２の流路１４に連通し得る流路２３が形成されている。第２ゴムシール体４の流路２３は、基部２の流路１４に対応する位置において、第２ゴムシール体４を貫通し、第２ゴムシール体４の上面から上方に突出している。
【００２３】
スライド弁体５は、図１及び図３に示すように、一定の幅を持ち、基部２の円筒部分よりも長く延在した略長方形の部材であり、その長辺の両端には幅を広くした取手２４、２５を備えている。スライド弁体５は、図２に示す第１ゴムシール体３の溝１６及び基部２の円筒部分の溝１６に嵌められ、その上から第２ゴムシール体４を設置して、第１ゴムシール体３と第２ゴムシール体４との間に設置している。スライド弁体５の中間部には、図４に示すように、片側の取手２４を引っ張り、スライド弁体５を摺動させたときに、基部２の流路１４と第２ゴムシール体４の流路１４を連通させる所定の位置に穴２６を形成している。
【００２４】
キャップ６は、第２ゴムシール体４の上から、基部２の円筒部分を覆うように取り付け、基部２の外周面の上部に形成した嵌着部１３に嵌着している。キャップ６の中央部には、他の医療器具の接続口を接続する接続部として、注射器の口部が嵌合可能なロック式スリーブ２７を備えている。この実施形態では、ロック式スリーブ２７は、注射器や配管結合コネクタなどの雄型ルアーテーパ状の接続口が嵌合し得る雌型ルアーテーパ形状の接続口を備えており、ロック式スリーブ２７の外周面の上端には、注射器や配管結合コネクタなどのルアーロック式のロック構造が螺合可能な螺合片２８を設けている。このロック式スリーブ２７は、注射器や配管結合コネクタなどが備えている雄型ルアーテーパ状の接続口と、ルアーロック式のロック構造の両方を接続することができる。ロック式スリーブ２７は、キャップ６を貫通している。また、図示は省略するが、キャップ６の側周部にはスライド弁体５を挿通する溝を形成している。キャップ６は、図１に示すように、第２ゴムシール体４の上面に突出した流路１４をロック式スリーブ２７の底部に装着して基部２に装着している。
【００２５】
このキャップ６により、第１、第２ゴムシール体４は、キャップ６に押さえられて基部２やスライド弁体５に密着している。基部２、スライド弁体５及びキャップ６は、それぞれ耐薬品性を有する材料（例えば、耐薬品性を有するプラスチック）で成形されている。
【００２６】
この医療用スライド式開閉弁１は、スライド弁体５の片側の取手２４を引っ張ると、図４に示すように、第１ゴムシール体３と第２ゴムシール体４の間でスライド弁体５が直線的に摺動し、基部２の流路１４と、スライド弁体５の穴２６と、第２ゴムシール体４の流路２３の位置が合い、各流路１４、２３が連通して医療用スライド式開閉弁１が開く。これに対して、スライド弁体５の反対側の取手２５を引っ張ると、図３に示すように、第１ゴムシール体３と第２ゴムシール体４の間でスライド弁体５が直線的に摺動し、基部２の流路１４と、第２ゴムシール体４の流路２３と、スライド弁体５の穴２６の位置がずれ、各流路１４、２３がスライド弁体５によって遮断されて医療用スライド式開閉弁１が閉じる。
【００２７】
この医療用スライド式開閉弁１は、他の医療器具を接続するロック式スリーブ２７と医療用容器の開口部を連絡する流路を、基部２の流路１４と、第２ゴムシール体４の流路２３と、スライド弁体５の穴２６で構成している。そして、この流路の一部を構成するスライド弁体５を他の部分２、４に対してスライド移動させることにより、ロック式スリーブ２７と医療用容器又は混注管の開口部を連絡する流路の開閉することができる。
【００２８】
なお、この医療用スライド式開閉弁１は、第１、第２ゴムシール体４が、キャップ６に押さえられて、基部２やスライド弁体５に密着しているので、スライド弁体５を摺動させても液漏れは生じない。また、第１、第２ゴムシール体４には、スライド弁体５の摺動に対して適度な抵抗を与え、スライド弁体５が勝手に動かないようにする作用もある。また、スライド弁体５の両端に設けた取手２４、２５には、斯かるスライド弁体５を引っ張る操作をするときの操作性を向上させるとともに、スライド弁体５が医療用スライド式開閉弁１から抜けないようにするストッパとしての機能がある。
【００２９】
この医療用スライド式開閉弁１に注射器を接続するときは、図３に示すように、スライド弁体５の反対側の取手２５を引っ張って医療用スライド式開閉弁１を閉じた状態にして行い、注射器はニードルレスで（注射針を使わずに）キャップ６のロック式スリーブ２７に挿入して接続する。このとき、注射器がルアーロック構造の注射器３０である場合には、注射器３０の雌ねじ３１をロック式スリーブ２７の螺合片２８に螺合させつつ、ロック式スリーブ２７の凹テーパに注射器３０の口部３２を嵌合させて、ロック式スリーブ２７に注射器３０を接続する（図５参照）。
【００３０】
このように医療用スライド式開閉弁１に注射器３０を接続し、スライド弁体５の片側の取手２４を引っ張って医療用スライド式開閉弁１を開くと、注射器３０により薬液の注入や抽出が行なえる状態なる。また、薬液の注入や抽出を終え、注射器３０を取り外すときは、スライド弁体５の反対側の取手２５を引っ張って医療用スライド式開閉弁１を閉じた状態になる。
【００３１】
この医療用スライド式開閉弁１によれば、ゴム栓や針を使わずに、注射器又は配管結合コネクタなどの他の医療器具を接続することができるので、コアリングが生じる問題や、穿刺した状態で放置したときに針が抜けたり、液漏れが生じたりする問題、穿刺した針を抜いた後でゴム栓体の耐圧性が低下することなど、ゴム栓や針を用いることに起因する問題がない。
【００３２】
また、注射器又は配管結合コネクタなどの他の医療器具の接続口を接続部としてのロック式スリーブ２７に装着したまま、スライド弁体５を摺動操作して、医療用スライド式開閉弁１の流路を開通又は閉鎖することができるので、定量的な薬液の注入や抽出を行なう場合でも、注射器又は配管結合コネクタなどを外すことなく継続して行なうことができる。
【００３３】
また、スライド部としてのスライド弁体５により、医療用スライド式開閉弁１が確実に閉じられるので、耐圧性が良く、輸送中や取り扱い時の内部圧力によって生じる液漏れトラブルの心配はない。また、このスライド弁体５は、平板状であり、基部２の流路１４の端面に面当りしているので、流路１４を確実に遮断することができ、液漏れなどの不具合を防止することができる。
【００３４】
また、この医療用スライド式開閉弁１によれば、注射器や配管結合コネクタのロック式ルアー口部を接続した状態で固定するロック式スリーブ２７を備えているので、医療用スライド式開閉弁１にルアーロック式の注射器や配管結合コネクタを接続した状態で放置しても、注射器や配管結合コネクタが勝手に外れることはない。これにより不慮の医療事故を防止できる。
【００３５】
また、ロック式スリーブ２７に注射器又は配管結合コネクタを装着したときに、注射器又は配管結合コネクタなどのロック式ルアー口部の先端が、ロック式スリーブ２７の底に接合するようになっているので、液が滞留することがなく衛生的であり、かつ、定量的な液注入が正確に行なえる。また、この実施形態では、ロック式スリーブ２７の底に、第２ゴムシール体４の流路２３が嵌合しており、注射器又は配管結合コネクタのロック式ルアー口部をロック式スリーブ２７に装着したときに、注射器又は配管結合コネクタのロック式ルアー口部の先端が、第２ゴムシール体４の流路２３に押圧接続されて密着するので液漏れが起こらない。
【００３６】
また、医療用スライド式開閉弁１を閉じた状態では、基部２の流路１４がスライド弁体５により封口されており、医療用容器は耐薬品性を有する材料からなる基部２とスライド弁体５により閉じているので耐薬品性を備えている。従って、医療用容器内の薬液がゴムに接触せず、ゴム成分が薬液中に溶出するなどの問題がない。
【００３７】
なお、図５は、医療用容器の開口部に上記医療用スライド式開閉弁１の構造を２つ設けた実施例であり、また、ルアーロック式の注射器３０と、ルアーロック式のロック構造を備えた配管結合コネクタ３３を接続したものである。注射器３０は、主に、医療用容器に薬液を注入するのに用いられ、配管結合コネクタ３３は医療用容器から薬液を抽出するのに用いられる。このように、医療用容器の開口部に上記医療用スライド式開閉弁１の構造を２つ以上設けることにより、同時に２つ以上の医療器具を接続することができ、様々な用途に対応することができるようになる。
【００３８】
次に、本発明の他の実施形態を説明する。
【００３９】
この医療用スライド式開閉弁４０は、医療用容器の開口部に取り付けられる基部４１と、ゴムシール体４２と、スライド部としての機能を兼ね備えたキャップ４３とからなる。この医療用スライド式開閉弁４０は、スライド部としてのキャップ４３を回転方向にスライドさせて、流路の開閉を操作するものである。
【００４０】
基部４１は、図６に示すように、略円筒状の部材で、下端に医療用容器の開口部の端面に接着させるフランジ５１を、内部に弁を設置する着座部５２を、基部４１の外周面の上部にはキャップ４３を嵌着させる嵌着部５３をそれぞれ備えている。フランジ５１には、キャップ４３の回動を規制するストッパ５４とピン５５を突設している。着座部５２は、基部４１の内部の中間部位に水平に延在しており、その中央には着座部５２の中心からずれた位置に着座部５２を貫通した流路５６を形成している。
【００４１】
この実施形態では、図７に示すように、フランジ５１の中心を通る縦線ｔを略対称にして右側の略３時の位置にストッパ５４を突設し、左側の略９時の位置にピン５５を突設している。より詳しくは、ストッパ５４はフランジ５１の中心及びピン５５を通る横線uよりも少し上、すなわち３時の位置よりも少し上にずらして設けている。また、この実施形態では、フランジ５１の中心を通る縦線ｔを略対称にしてピン５５を左、ストッパ５４を右に配設したのに合わせて、着座部５２に設けた流路５６をフランジ５１の中心を通る縦線ｔの右側にずらして設けている。
【００４２】
ゴムシール体４２は、基部４１の着座部５２に設置した円板形状のゴム製のシール部材であり、その中央部には、基部４１の流路５６と連通するように中心からずれた位置に流路５７を形成している。ゴムシール体４２は、基部４１の着座部５２に形成した流路５６と、ゴムシール体４２に形成した流路５７の位置が合うように、ゴムシール体４２の向きを調整して、基部４１に装着している。
【００４３】
キャップ４３は、ゴムシール体４２の上から、基部４１の円筒部分を覆うように取り付け、基部４１の外周面の上部に形成した嵌着部５３に嵌着している。キャップ４３は基部４１に対して回動自在に設けており、キャップ４３の外周部にはキャップ４３の回動を操作するハンドル５８を設けている。ハンドル５８には、基部４１のフランジ５１に突設したピン５５に挿通可能な穴５９を形成している。キャップ４３の中央部には、注射器の口部が嵌合可能なロック式スリーブ６０を形成している。
【００４４】
ロック式スリーブ６０は、注射器や配管結合コネクタなどの雄型ルアーテーパ状の接続口が嵌合し得る雌型ルアーテーパ形状の接続口を備えており、ロック式スリーブ６０の外周面の上端には、ルアーロック構造の注射器が螺合可能な螺合片６１を設けている。また、この実施形態では、ロック式スリーブ６０は、注射器や配管結合コネクタなどの雄型ルアーテーパ状の接続口を螺合させて、接続したときに、注射器等の接続口の先端がロック式スリーブ６０の底面に密着するようになっている。
【００４５】
また、ロック式スリーブ６０の底面には、中心からずれた位置に、キャップ４３の回転に対し、基部４１の着座部５２に形成した流路５６及びゴムシール体４２に形成した流路５７と同一の回転軌道上に流路６２を形成している。この実施形態では、ロック式スリーブ６０の底面に形成した流路６２は、キャップ４３の中心からハンドル５８を設けた側にずらして形成している。
【００４６】
キャップ４３はゴムシール体４２の上から、基部４１の円筒部分を覆うように取り付ける。基部４１の嵌着部５３に嵌着させて取り付けると、ゴムシール体４２は、キャップ４３に押さえられて、基部４１及びキャップ４３に密着する。ゴムシール体４２は、基部４１とキャップ４３に密着しており、ゴムシール体４２に形成した流路５７を介して、基部４１の流路５６とキャップ４３の流路６２を液密に連通している。なお、このゴムシール体４２には、キャップ４３の回動に対して適度な抵抗を与え、キャップ４３が勝手に動かないようにする作用もある。
【００４７】
この医療用スライド式開閉弁４０は、図７に示すように、キャップ４３のハンドル５８を基部４１のピン５５側に回動させ、ハンドル５８の穴５９をピン５５に差し込むと、図６に示すように、ロック式スリーブ６０の底面に形成した流路６２は、基部４１の流路５６及びゴムシール体４２の流路５７と位置がずれる。このため、基部４１の流路５６及びゴムシール体４２の流路５６はロック式スリーブ６０の底面により遮断され、医療用スライド式開閉弁４０は閉じた状態になる。また、この状態では、キャップ４３はピン５５に係合しており、回動が規制され、キャップ４３が勝手に回動することはない。
【００４８】
また、この医療用スライド式開閉弁４０は、キャップ４３のハンドル５８の穴５９を少し持ち上げて、基部４１のピン５５から外し、キャップ４３を左回りに回動させ、キャップ４３のハンドル５８を基部４１のストッパ５４に当てると、図８、図９に示すように、キャップ４３のロック式スリーブ６０の底面に形成した流路６２と、基部４１の流路５６及びゴムシール体４２の流路５７の位置が合い、各流路５６、５７、６２が連通されて、医療用スライド式開閉弁４０が開いた状態になる。なお、ゴムシール体４２が、キャップ４３に押さえられて、基部４１やキャップ４３に密着しているので、キャップ４３を回動させる際などに、液漏れが生じることはない。
【００４９】
この医療用スライド式開閉弁４０に注射器３０を接続するときは、図９に示すように、キャップ４３を回動させ、キャップ４３のハンドル５８を基部４１のピン５５に嵌めて、医療用スライド式開閉弁４０を閉じた状態にして行なう。注射器３０はニードルレスで（注射針を使わずに）キャップ４３のロック式スリーブ６０に挿入して接続する。このとき、注射器３０がルアーロック構造の注射器の場合には、注射器３０のロック式ルアー口部の雌ねじ３１をロック式スリーブ６０の螺合片６１に螺合させつつ、ロック式スリーブ６０の凹テーパに注射器の口部３２を嵌合させて、ロック式スリーブ６０に注射器のロック式ルアー口部を接続する。この医療用スライド式開閉弁４０は、キャップ４３のハンドル５８を基部４１のピン５５に嵌めているので、キャップ４３が注射器に連れまわり、誤って医療用スライド式開閉弁４０が開かれることはない。また、注射器のロック式ルアー口部の先端がロック式スリーブ６０の底に密着するようになっている。
【００５０】
このように医療用スライド式開閉弁に注射器を接続した後、キャップ４３のハンドル５８の穴５９をピン５５から外し、キャップ４３をストッパ５４に当たるまで左回りに回動させると、基部４１、ゴムシール体４２、キャップ４３の各流路５６、５７、６０が連通して、医療用スライド式開閉弁４０が開く。医療用スライド式開閉弁４０が開くと、注射器により薬液の注入や抽出が行なえる。また、薬液の注入や抽出を終え、注射器を取り外すときは、再び、キャップ４３を右回りに回動させ、キャップ４３のハンドル５８の穴５９をピン５５に嵌めて、医療用スライド式開閉弁４０を閉じた状態で行なうとよい。なお、この医療用スライド式開閉弁４０は、キャップ４３のハンドル５８の穴５９が基部４１のフランジ５１に設けたピン５５に嵌まっているので、注射器を接続する際や注射器を取り外す際に、キャップ４３が注射器に連れまわることはなく、誤って医療用スライド式開閉弁４０が開かれることがない。
【００５１】
この医療用スライド式開閉弁４０は、ゴム栓や針を使わずに、注射器又は配管結合コネクタなどの他の医療器具を接続することができるので、コアリングが生じる問題や、穿刺した状態で放置したときに針が抜けたり、液漏れが生じたりする問題、穿刺した針を抜いた後でゴム栓体の耐圧性が低下することなど、ゴム栓や針を用いることに起因する問題がない。
【００５２】
また、この医療用スライド式開閉弁４０によれば、注射器や配管結合コネクタのロック式ルアー口部を装着するロック式スリーブ６０を備えているので、医療用スライド式開閉弁４０にルアーロック式の注射器や配管結合コネクタを接続した状態で放置しても、注射器や配管結合コネクタが勝手に外れることはない。これにより不慮の医療事故を防止できる。また、注射器又は配管結合コネクタのロック式ルアー口部をロック式スリーブ６０に装着したまま、キャップ４３を回動操作して、医療用スライド式開閉弁４０の流路を開通又は閉鎖することができるので、定量的な薬液の注入や抽出を衛生的に行なうことができる。また、スライド弁体５により、医療用スライド式開閉弁４０が確実に閉じられるので、耐圧性が良く、輸送中や取り扱い時の内部圧力によって生じる液漏れトラブルの心配がない。
【００５３】
また、ロック式スリーブ６０に注射器又は配管結合コネクタを装着したときに、注射器又は配管結合コネクタのロック式ルアー口部の先端が、ロック式スリーブ６０の底に接合するようになっているので、液が滞留することがなく衛生的であり、かつ、定量的な液注入が正確に行なえる。なお、注射器又は配管結合コネクタのロック式ルアー口部をロック式スリーブ６０に装着したときに、注射器又は配管結合コネクタのロック式ルアー口部の先端が、ロック式スリーブ６０の底に密着するように、ロック式スリーブ６０の底にリング状のゴム部材を装着してもよい。これにより、注射器又は配管結合コネクタのロック式ルアー口部をロック式スリーブ６０に装着したときに、注射器又は配管結合コネクタのロック式ルアー口部の先端が、ロック式スリーブ６０の底に装着したリング状のゴム部材に押圧接合するので、このゴム部材によりシールされ液漏れが起こらないようにすることができる。
【００５４】
以上、本発明に係る医療用スライド式開閉弁を説明したが、本発明は上記の実施形態には限定されない。
【００５５】
例えば、一つ目の実施形態に係る医療用スライド式開閉弁１では、第１ゴムシール体３、第２ゴムシール体４を廃し、第１ゴムシール体３の部分を基部２と同じ材料により基部２と一体的に形成し、第２ゴムシール体４の部分をキャップ６と同じ材料によりキャップ６と一体的に形成し、ゴム材料を廃して耐薬品性を向上させるようにしてもよい。
【００５６】
また、２つ目の実施形態に係る医療用スライド式開閉弁４０では、ゴムシール体４２を廃し、ゴムシール体４２の部分を基部４１又はキャップ４３と同じ材料により、基部４１又はキャップ４３と一体的に形成してもよい。
【００５７】
また、２つ目の実施形態に係る医療用スライド式開閉弁４０は、医療用スライド式開閉弁４０を閉じた状態でも医療用容器内の薬液が、ゴムシール体４２に触れ得る状態にあり、ゴム成分が溶出するような薬品を扱う場合には適さない。この実施形態では、図１０に示すように、基部４１の流路５６を上方に突出させ、基部４１の流路５６をキャップ４３により封口するようにするとよい。この実施形態によれば、医療用容器内の薬液がゴムに接触せず、ゴム成分が薬液中に溶出するなどの問題がなく、耐薬品性を有する材料からなる基部４１とキャップ４３で、医療用容器を閉じることができ、耐薬品性を備えさせることができる。
【００５８】
また、医療用スライド式開閉弁４０では、注射器を接続する際や注射器を取り外す際に、キャップ４３が注射器に連れまわるのを防止するため、キャップ４３のハンドル５８に穴５９を設け、基部４１のフランジ５１にピン５５を設けて、斯かる穴５９とピン５５を係合させているが、キャップ４３の連れまわりを防止する構造はこれに限定されない。キャップ４３の連れまわりを防止する他の構造としては、基部４１の流路５６とゴムシール体４２の流路５７、及び、注射器を接続するロック式スリーブ６０を、例えば、キャップ４３の回転中心からずらした位置において、キャップ４３の回転に対して、同一の回転軌道上に設けるようにしてもよい。また、医療用スライド式開閉弁４０では、キャップ４３を回動させる際に、ゴムシール体４２がキャップ４３に連れ回って、基部４１の流路５６とゴムシール体４２の流路５７がずれるのを防止するストッパを設けるとよい。
【００５９】
本発明に係る医療用スライド式開閉弁は、医療用容器の開口部の弁構造としてだけでなく、混注管の開口部の弁構造としても用いることができる。なお、腎臓透析など血液を循環させる配管では、血液の凝固を防止する薬剤を定期的に注入することが行なわれる。この場合、予め薬液を封入したシリンジを用いて、所定の時間毎に定量ずつ注入することが行なわれている。混注管に本発明に係る医療用スライド式開閉弁を適用すれば、シリンジを混注管から抜くことなく、所定の時間毎に定量ずつ薬液を注入することができるので、衛生的な面や作業性の面で好適である。特に、血液を循環させる配管には圧力が掛けられている場合があるが、混注管に本発明に係る医療用スライド式開閉弁を適用すれば、定量注入を行なわないときには、弁を閉じておくことができるので、血液がシリンジに逆流することがない。
【図面の簡単な説明】
【００６０】
【図１】本発明の一実施形態に係る医療用スライド式開閉弁を示す縦断面図。
【図２】本発明の医療用スライド式開閉弁の基部と第１ゴムシール体を示す平面図。
【図３】本発明の一実施形態に係る医療用スライド式開閉弁の閉じた状態を示す平面図である。
【図４】本発明の一実施形態に係る医療用スライド式開閉弁の開いた状態を示す平面図である。
【図５】本発明の一実施形態に係る医療用スライド式開閉弁の変形実施例を示す縦断面図である。
【図６】本発明の他の実施形態に係る医療用スライド式開閉弁の閉じた状態を示す縦断面図。
【図７】本発明の他の実施形態に係る医療用スライド式開閉弁の閉じた状態を示す平面図。
【図８】本発明の他の実施形態に係る医療用スライド式開閉弁の開いた状態を示す平面図。
【図９】本発明の他の実施形態に係る医療用スライド式開閉弁の開いた状態を示す縦断面図。
【図１０】本発明の他の実施形態に係る医療用スライド式開閉弁の変形例を示す縦断面図。
【符号の説明】
【００６１】
１  医療用スライド式開閉弁
２  基部
３  ゴムシール体
４  ゴムシール体
５  スライド弁体
６  キャップ
１１  フランジ
１２  着座部
１３  嵌着部
１４  流路
１５  円筒部分
１６  溝
２１  穴
２２  溝
２３  流路
２４、２５  取手
２６  穴
２７  スリーブ
２８  螺合片
３０  注射器
３１  雌ねじ
３２  口部
３２  コネクタ
４０  医療用スライド式開閉弁
４１  基部
４２  ゴムシール体
４３  キャップ
５１  フランジ
５２  着座部
５３  嵌着部
５４  ストッパ
５５  ピン
５６  流路
５７  流路
５８  ハンドル
５９  穴
６０  スリーブ
６１  螺合片
６２  流路
ｔ  縦線
ｕ  横線
【図１】
2005143579.tif 000003
【図２】
2005143579.tif 000004
【図３】
2005143579.tif 000005
【図４】
2005143579.tif 000006
【図５】
2005143579.tif 000007
【図６】
2005143579.tif 000008
【図７】
2005143579.tif 000009
【図８】
2005143579.tif 000010
【図９】
2005143579.tif 000011
【図１０】
2005143579.tif 000012